(57)【要約】【課題】乳房を支えるメカニズムを見直すことにより、左右の乳房による「谷間」をより強調でき、見た目の新鮮さも増すブラジャー等のカップを有する衣類を提供する。【解決手段】カップ部を有する衣類の、前中心布及び上カップと下カップの前中心側の一部を取り除いて、カップ前部上端縁を形成するとともに、カップ脇部外側縁からカップ下部外側縁を経由しカップ前部上端縁までのカップ外側縁を有する幅の狭いカップ形状とし、カップ前部上端縁の最下端は、前中心側のアンダーバストライン近傍に位置する上下に小幅な連結部に結合され、前中心部に略凹字状の開口部を構成する。【選択図】          図１
2004316036.tif 000002
【特許請求の範囲】
【請求項１】
カップ部を有する衣類であって、前記カップ部を有する衣類は、前中心布及び上カップと下カップの前中心側の一部分を取り除いてカップ前部上端縁を形成するとともに、カップ脇部外側縁からカップ下部外側縁を経由しカップ前部上端縁までのカップ外側縁を有する幅の狭いカップ形状としたことを特徴とするカップ部を有する衣類。
【請求項２】
前記カップ部を有する衣類のカップ外側縁は、カップ脇部外側縁からカップ下部外側縁部にかけて乳房のバージスラインに類似する湾曲を有するとともに、カップ下部外側縁のカップ前部上端縁近傍ではほぼアンダーバストラインに平行する形状を有することを特徴とする請求項１に記載のカップ部を有する衣類。
【請求項３】
前記カップ部を有する衣類の、カップ外側縁に沿ってワイヤーを装着させてなる請求項１及び請求項２に記載のカップを有する衣類。
【請求項４】
前記カップ部を有する衣類の、カップ前部上端縁の最下端は、前中心側のアンダーバストライン近傍に位置する上下に小幅な連結部に結合され、前中心部に略凹字状の開口部を構成する請求項１から３に記載のカップ部を有する衣類。
【請求項５】
前記カップ部を有する衣類の、前中心側のアンダーバストライン近傍に位置する上下に小幅な連結部に、係合及び離脱が自在な係脱機構を設けてなる請求項１から請求項４に記載のカップ部を有する衣類。
【発明の詳細な説明】
【０００１】
【発明の属する技術分野】
本発明は、ブラジャー、ブラスリップ、ボディースーツ、水着等のカップ部を有する衣類に係り、詳しくは、技術に関するものである。
【０００２】
【従来の技術】
カップ部を有する衣類の代表例として、ファンデーション衣類としてのブラジャーがある。近年、ブラジャーには、乳房の「寄せ」機能と「上げ」機能が重視される傾向が強くなっており、このような機能を好適に奏するものとしてワイヤーフォーム型ブラジャーが広く利用されている。このような目的の元に、前中心布の上部を低くし、前中心の上部に略Ｖ字型の開口部をもつものや、前中心部に係脱機構を設け、前中心部に略Ｘ字型の開口部を持つものなどがあり、例えば、特許文献１から４において開示されたものが知られている。
【０００３】
【特許文献】
特開２００１−３１６９０９号公報
特開平９−３１７７１号公報
特許第３２２６８１３号公報
特開２０００−３１４００８号公報
【０００４】
【発明が解決しようとする課題】
ワイヤーが装着されているブラジャーでは、ワイヤーの直径が乳房の周縁、いわゆるバージスラインより狭く設計されていることで、ワイヤーが乳房を挟みこむ状態となり、チェスト部にボリュームを移動させることから、バストアップつまり「上げ」を実現させるのである。
また、前中心布の幅を極力狭くするなどの手法によって、左右のカップをくっつけ合うようにすることで「寄せ」の効果を生み、左右の乳房が「寄せ」られ「上げ」られることによって、乳頭間隔の狭い美しいバストラインを創り出すとともに、ボリュームのある乳房の場合は、ブラジャーの前中心上部に略Ｖ字状の乳房の「谷間」を実現することも可能になる。
【０００５】
このように、ボリュームのある乳房に関しては、従来の略Ｕ字形や略Ｊ字形のワイヤーを装着したブラジャーを着用することで、比較的簡単に乳房の「谷間」を形成することが可能であり、美しいバストラインを創り出すことができるのであるが、通常、ワイヤーの直径が乳房のバージスラインより狭く設計されていることから、アンダーバストラインの位置を押し上げることに無理があった。
また、「寄せ」の機能が働くほど、前中心布の幅やカップ前側周縁部が、前側に「寄せ」られたＶ字状の「谷間」に橋渡し状に乗っかった状態となり、着用者の満足を満たすものではなく、さらには、略Ｕ字形や略Ｊ字形ワイヤーが乳房のバージスラインより狭く設計されていることから、日常の体の動きや運動時の乳房形状の変化等によってバージスラインにずれが生じ、カップが浮いたりアンダーバストラインが下がるなどといった着崩れの原因にもなっていた。
さらには、ボリュームの少ない方の希望に応えることには限界があるとともに、アンダーバスト近傍まで深く襟元の開いたアウターを着用する場合にはブラジャーが見えてしまうといった欠点もあった。
【０００６】
本発明の目的は、乳房を支えるメカニズムを見直すことにより、深い襟開きのアウターにも対応できるだけでなく、乳房のボリュームの大小に関わらず、左右の乳房による略Ｘ字状の乳房の「谷間」を創り出すことを可能とする、安定性の高いブラジャー等のカップ部を有する衣類を提供する点にある。
【０００７】
【課題を解決するための手段】
請求項１の構成は、カップ部を有する衣類であって、前記カップ部を有する衣類は、前中心布及び上カップと下カップの前中心側の一部分を取り除いてカップ前部上端縁を形成するとともに、カップ脇部外側縁からカップ下部外側縁を経由し、カップ前部上端縁までのカップ外側縁を有する幅の狭いカップ形状としたことを特徴とする。
【０００８】
請求項１の構成によれば、前中心布及び上カップと下カップの前中心側の一部分を取り除いたことにより、前中心側に乳房をはめ込む必要がなく、また、覆われる部分がなくなったことで、日常生活や運動における乳房の動きを妨げることがなく、乳房のボリュームの大小にも対応しやすくなった。
【０００９】
請求項２の構成は、前記カップ部を有する衣類のカップ外側縁は、カップ脇部外側縁からカップ下部外側縁部にかけて乳房のバージスラインに類似する湾曲を有するとともに、カップ下部外側縁のカップ前部上端縁近傍ではほぼアンダーバストラインに平行する形状を有することを特徴とする。
【００１０】
請求項２の構成によれば、前記カップ部を有する衣類のカップ外側縁は、カップ脇部外側縁からカップ下部外側縁部にかけて乳房のバージスラインに類似する湾曲を有するとともに、カップ下部外側縁のカップ前部上端縁近傍ではほぼアンダーバストラインに平行する略Ｌ字形を形成することとなり、日常生活や運動による影響を受け難い脇部とアンダーバストをしっかり固定するとともに、強い「寄せ」と「上げ」の効果を発揮することを可能とする。
【００１１】
請求項３の構成は、前記カップ部を有する衣類のカップ外側縁に沿ってワイヤーを装着させてなることを特徴とする。
【００１２】
請求項３の構成によれば、前記略Ｌ字状のカップ外側縁に沿って、略Ｌ字状のワイヤーを装着することにより、乳房を「寄せ」て「上げ」る効果を更に高めるとともに、カップ脇部外側縁による縦方向の固定と、アンダーバストラインにほぼ平行する横方向を固定することによって、カップ部を有する衣類の安定性をさらに向上させることとなる。
【００１３】
請求項４の構成は、カップ部を有する衣類のカップ前部上端縁の最下端は、前中心側のアンダーバストライン近傍に位置する上下に小幅な連結部に結合されることで、前中心部に略凹字状の開口部を構成することを特徴とする。
【００１４】
請求項４の構成によれば、前述した作用効果を発揮できるカップ部を有する衣類によって、「寄せ」て「上げ」られた左右の乳房は、前中心部の上方に向かって互いに寄り添い、カップ前部上端縁と前記連結部によって構成される前中心部の略凹字状の開口部に、美しい略Ｘ字状の「谷間」を形成することになる。
【００１５】
請求項５の構成は、前記カップ部を有する衣類の、前中心側のアンダーバストライン近傍に位置する上下に小幅な連結部に、係合及び離脱が自在な係脱機構を設けてなることを特徴とする。
【００１６】
請求項５の構成によれば、前述した作用効果を発揮できるカップ部を有する衣類の、前中心側のアンダーバストライン近傍に位置する連結部に、係合及び離脱が自在な係脱機構を設けることにより、従来のフロントホックブラのような狭い前中心部での開閉操作ではなく、楽に操作できるフロントホック型のブラジャーまたは水着等を提供できることになった。
【００１７】
【発明の実施の形態】
以下、本発明の実施の形態を図面に基づいて説明する。
図１に、カップ部を有する衣類の一例としてワイヤーフォーム型ブラジャーＡの自然状態（非着装状態）での全体図が、図２にワイヤーの形状及びカップ形状の従来例と本発明との対比が、そして図３には人体に着装された状態の正面図がそれぞれ示されている。
【００１８】
図１に示されたブラジャーＡは、左右一対のカップ部１と、そのカップ部をつなぐ連結部９と、カップ脇部側２から背側に続くバック部３と、カップ部１の上縁部とバック部３の間に掛け渡された肩ストラップ４とを主要なパーツとして構成されている。なお、伸縮性を有するバック部３の背中の部分には、係脱自在のホック５が取りつけられている。
【００１９】
カップ部１は、カップ脇部外側縁から前中心方向に向かう略Ｌ字形（向かって右側のカップ部１では左右が逆の略Ｌ字形（図２参照）となる）に湾曲した端縁部６を有しており、この端縁部６には補強用及び保形用としてのワイヤー７が装着されている。
【００２０】
本発明によるワイヤー７は、図２に示すように、カップの脇部外側縁に沿ってほぼ上下方向に延びた部分７ａと、カップ下部外側縁のアンダーバストラインに沿って延びた部分７ｂとで成る略Ｌ字形（向かって右側では左右が反転した略Ｌ字形）に形成してあり、また従来のカップ部１’に装着されたワイヤー７’は、前述の７ｂ部より、前中心側バージスラインに沿って上方に向かう部分７ｃを有した略Ｊ字形あるいは７ｄを有した略Ｕ字形に形成されている。
【００２１】
従って、本発明によるブラジャーＡにおけるカップ前部上端縁８は、図２に示すように、従来のカップ部１’の３／４カップタイプの上端ライン８’またはフルカップタイプの上端ライン８’’に比べて、上カップの一部と下カップの前中心側の部分を取り除いた位置にあり、左右のカップ部１同士の間隔が広くなることによって、着装時における乳房の前中心側部分の露出度が大きくなる。
【００２２】
また、左右のカップ部１を、アンダーバストライン近傍において上下に小幅なテープ状布部９（連結部の一例）を介して連結してあり、いわば前中心布９’または９’’が存在しない構成としてある。つまり、前中心部は、アンダーバストライン近傍のテープ状布部９であって、図４に示すように左右の連結布部９ａ、９ｂの係合及び離脱が自在な係脱機構の一例であるホック１０（公知に付き、詳細構造は省略）を装備した、フロントホック型（前開閉式）のブラジャーとしても良い。尚、ワイヤー７は、断面形状が扁平で矩形を呈するステンレス鋼板によるものや、ピアノ線によるもの、樹脂によるもの等種々がある。
【００２３】
本発明によるカップを有する衣類では、図２に示すように、カップ部１の前部上端縁が、前中心側バージスラインを下側に外した位置で、アンダーバストライン近傍のテープ状布部９と結合されており、前中心部の、前記テープ状布部９と左右のカップ部１の間に形成される間隙部は、正面視で略凹字状に開口したような形状を呈している。また、上カップの一部と下カップの前中心側の部分を取り除いたカップ部の幅は、着装状態では乳輪が隠れる程度の狭いものに設定してある。
【００２４】
参考として、図５に従来型のワイヤーフォーム型ブラジャーＡ’を着装状態で示す。図５に示すようにブラジャーの前中心上部に略Ｖ字状の乳房の「谷間」を形成する従来の状態に対し、本発明によるブラジャーＡを用いた図３では、脇側から「寄せ」られ、下部から「上げ」られた乳房のボリュームが前中心部で互いに寄り添い、しかもカップ部１の形状によって略凹字状に解放された前中心部に、美しい二つの丸みによる略Ｘ字状の「谷間」を形成することに成功している。
【００２５】
【発明の効果】
以上説明したように、本発明は、カップ部を有する衣類において、前中心布及び上カップと下カップの前中心側の一部分を取り除いて幅の狭いカップ形状とし、カップ前部上端縁を形成するとともにカップ脇部外側縁からカップ前部上端縁に至るカップ下部外側縁を有し、カップ前部上端縁の最下端は、前中心側のアンダーバストライン近傍において上下に小幅な連結部に結合され、前中心部に略凹字状の開口部を構成してなることを特徴とする。
また、カップ脇部外側縁からカップ前部上端縁迄のカップ下部外側縁に沿ってワイヤーを装着させ、アンダーバストライン近傍の前中心側において上下に小幅な連結部に、係合及び離脱が自在な係脱機構を設けても良い。
【００２６】
その結果、前中心布が無く、また上カップの一部と下カップの前中心側の部分を取り除くことで、カップ前中心側からストラップ付けにかけて乳房を覆う面積を少なくし、またカップ前部上端縁がバージスラインを下側に外してアンダーバストライン近傍のテープ状布部と結合することで、略凹字状に開口された前中心部とチェスト方向に向かって広がる解放部を構成することにより、カップ脇部で寄せられた左右の乳房が前中心部で互いに寄り添う形で、略Ｘ字状の美しい二つの丸みを表現することができる。また、上カップと下カップの前中心側の一部と前中心布を取り除くことで、カップ上縁部から前中心側のバージスライン部が解放されていることで、アンダーバストラインを押し上げる着用状態を生み出し、略Ｕ字型や略Ｊ字型ワイヤーで乳房のボリュームを挟みこむ従来のブラジャー（図５参照）に比べて、より強いバストアップ効果が実現できることになる。
【００２７】
さらに、略Ｕ字形や略Ｊ字形ワイヤーで乳房のボリュームを挟みこむ従来のブラジャーＡ’（図５参照）と異なり、カップ外側縁もしくはワイヤーの形状がカップ脇部外側縁からカップ下部外側縁までは乳房のバージスラインに類似する湾曲を有するとともに、カップ下部外側縁のカップ前部上端縁近傍ではほぼアンダーバストラインに平行する形状を有する略Ｌ字形状（又は逆Ｌ字形状）になっていることで、比較的変化の少ない脇部を固定し、略凹字状に開口された前中心から、チェスト方向への乳房の移動を妨げるものがなく、またその解放部が乳房の上下・左右の揺れを吸収することから、前記のバストアップ効果とともに、着用時の安定性の面においても高い効果を発揮することができる利点を有している。
【図面の簡単な説明】
【図１】図１は、ブラジャーの全体正面図である。
【図２】図２は、ワイヤーの形状を示す正面図である。
【図３】図３は、ブラジャーの着装状態の躯体上部を示す正面図である。
【図４】図４は、ブラジャーのフロントホック部分を示す概略の正面図である。
【図５】図５は、従来のブラジャー着装状態の躯体上部を示す正面図である。
【符号の説明】
１      カップ部
７      ワイヤー
９      連結部
１０    係脱機構
【図１】
2004316036.tif 000003
【図２】
2004316036.tif 000004
【図３】
2004316036.tif 000005
【図４】
2004316036.tif 000006
【図５】
2004316036.tif 000007